(57)【特許請求の範囲】
【請求項１】
取付枠、
駆動綱車を有し、上記取付枠に設けられた巻上機、
上記駆動綱車に巻き掛けられ、かごを吊り下げるための主索を引きながら移動させることにより上記主索を上記駆動綱車に巻き掛けるための先導条体、及び
上記先導条体の両端部を上記取付枠に対して保持する保持装置
を備えていることを特徴とするエレベータ設置用巻上機ユニット。
【請求項２】
上記取付枠には、上記巻上機の駆動綱車とは別個の従動綱車が設けられており、
上記先導条体は、上記駆動綱車及び上記従動綱車に連続的に巻き掛けられていることを特徴とする請求項１に記載のエレベータ設置用巻上機ユニット。
【請求項３】
上記従動綱車の外周部に沿って移動されるように上記先導条体及び上記主索の少なくともいずれかを案内するガイド装置をさらに備えていることを特徴とする請求項２に記載のエレベータ設置用巻上機ユニット。
【請求項４】
上記保持装置によって保持された上記両端部は、上記取付枠内に配置されていることを特徴とする請求項１乃至請求項３の何れかに記載のエレベータ設置用巻上機ユニット。
【請求項５】
取付枠に設けられた巻上機の駆動綱車に先導条体を巻き掛け、エレベータ設置用巻上機ユニットとするユニット組立工程、
上記エレベータ設置用巻上機ユニットを昇降路内に設置するユニット設置工程、
かごを吊り下げるための主索の端部を上記先導条体の端部に接続する接続工程、及び
上記先導条体を引きながら上記先導条体及び上記主索を移動させることにより、上記主索を上記駆動綱車に巻き掛ける主索巻き掛け工程
を備えていることを特徴とするエレベータの主索巻き掛け方法。
【請求項６】
上記主索巻き掛け工程では、乗場に設けられた回転テーブルに上記主索が載せられ、上記回転テーブルが回転されながら上記主索が繰り出されることを特徴とする請求項５に記載のエレベータの主索巻き掛け方法。
【請求項７】
上記先導条体が引かれる方向は、上記乗場に設けられた転向装置によって変えられることを特徴とする請求項５又は請求項６に記載のエレベータの主索巻き掛け方法。
【発明の詳細な説明】
【技術分野】
【０００１】
この発明は、かご及び釣合おもりを昇降させるための巻上機を搭載するエレベータ設置用巻上機ユニット、及びエレベータの主索巻き掛け方法に関するものである。
【背景技術】
【０００２】
従来のエレベータでは、ハウジング内の巻上機の駆動綱車に主索を巻き掛けるために、弾性材料からなる平帯状の先導条体を主索に連結して、ハウジングの進入孔からハウジング内に先導条体を押し込み、ハウジング内面に沿って先導条体を移動させ、ハウジングの進出孔から先導条体を引き出すことにより、駆動綱車に主索を巻き掛ける方法が提案されている。この従来のエレベータでは、巻上機が昇降路に設置された後に、主索が駆動綱車に巻き掛けられる（特許文献１参照）。【０００３】
【特許文献１】特開２００２−３６２８５１号公報
【発明の開示】
【発明が解決しようとする課題】
【０００４】
しかし、巻上機の設置箇所によっては、例えば昇降路の内壁面や昇降路内に設けられた機器等が邪魔になり、先導条体をケーシング内に通す作業が難しくなってしまうことがある。従って、主索の駆動シーブへの巻き掛け作業に手間がかかってしまう。【０００５】
この発明は、上記のような課題を解決するためになされたものであり、主索を綱車に容易に巻き掛けることができるエレベータ設置用巻上機ユニット、及びエレベータの主索巻き掛け方法を得ることを目的とする。
【課題を解決するための手段】
【０００６】
この発明によるエレベータ設置用巻上機ユニットは、取付枠、駆動綱車を有し、取付枠に設けられた巻上機、駆動綱車に巻き掛けられ、かごを吊り下げるための主索を引きながら移動させることにより主索を駆動綱車に巻き掛けるための先導条体、及び先導条体の両端部を取付枠に対して保持する保持装置を備えている。
【図面の簡単な説明】
【０００７】
【図１】この発明の実施の形態１によるエレベータ設置用巻上機ユニットを示す平面図である。
【図２】図１のエレベータ設置用巻上機ユニットが昇降路内の上部に設置されているときの状態を示す一部側面図である。
【図３】図２の接続部を示す拡大図である。
【図４】図３の第１の先導条体と第１の主索とを接続する部分の他の例を示す拡大図である。
【図５】図３の第１の先導条体と第１の主索とを接続する部分の他の例を示す拡大図である。
【図６】この発明の実施の形態２によるエレベータ設置用巻上機ユニットを示す一部側面図である。
【図７】この発明の実施の形態３によるエレベータ設置用巻上機ユニットが昇降路内の上部に設置されている状態を示す一部側面図である。
【図８】図７のガイド装置を示す平面図である。
【発明を実施するための最良の形態】
【０００８】
以下、この発明の好適な実施の形態について図面を参照して説明する。
実施の形態１．
図１は、この発明の実施の形態１によるエレベータ設置用巻上機ユニットを示す平面図である。図において、エレベータ設置用巻上機ユニット１は、エレベータの据付時に、昇降路内の上部に設置される。かご及び釣合おもり（図示せず）は、エレベータ設置用巻上機ユニット１が昇降路内の上部に設置された後に、複数本の第１の主索及び複数本の第２の主索により昇降路内に吊り下げられる。【０００９】
エレベータ設置用巻上機ユニット１は、取付枠２と、取付枠２に設けられたユニット搭載機器３と、各第１の主索をユニット搭載機器３に導くための複数本の第１の先導条体４と、各第２の主索をユニット搭載機器３に導くための複数本の第２の先導条体５とを有している。【００１０】
ユニット搭載機器３は、巻上機６、第１のかご側返し車９、第２のかご側返し車１０、第１の釣合おもり側返し車１１、第２の釣合おもり側返し車１２及び転向綱車１３を有している。巻上機６は、モータを含む巻上機本体７と、巻上機本体７により回転される駆動綱車８とを有している。また、巻上機６は、駆動綱車８の軸線方向の寸法よりも径方向の寸法が大きくされた薄形巻上機とされている。なお、第１のかご側返し車９、第２のかご側返し車１０、第１の釣合おもり側返し車１１、第２の釣合おもり側返し車１２及び転向綱車１３は、ユニット搭載機器３に第１及び第２の主索が取り付けられているときに、駆動綱車８の回転に伴って回転される従動綱車とされている。【００１１】
第１のかご側返し車９、第２のかご側返し車１０、第１の釣合おもり側返し車１１、第２の釣合おもり側返し車１２のそれぞれの回転軸は、駆動綱車８の回転軸に対して垂直に配置されている。【００１２】
各綱車８〜１３の外周部には、複数本の溝部が各綱車８〜１３の回転方向に沿ってそれぞれ設けられている。また、各綱車８〜１３には、綱車８〜１３の外周部に対向する主索外れ止め１４〜１９がそれぞれ取り付けられている。【００１３】
各第１の先導条体４及び各第２の先導条体５は、各綱車８〜１３に選択的に巻き掛けられることにより、ユニット搭載機器３に取り付けられている。各第１の先導条体４は、第１の釣合おもり側返し車１１、駆動綱車８及び第１のかご側返し車９の順に連続的に巻き掛けられている。各第２の先導条体５は、第２の釣合おもり側返し車１２、駆動綱車８、転向綱車１３及び第２のかご側返し車１０の順に連続的に巻き掛けられている。また、各第１の先導条体４及び各第２の先導条体５の曲げ剛性は、かご及び釣合おもりを吊り下げる各主索の曲げ剛性よりも低くされている。【００１４】
図２は、図１のエレベータ設置用巻上機ユニット１が昇降路内の上部に設置されているときの状態を示す一部側面図である。図において、取付枠２は、昇降路２０の内壁面に対して固定されている。巻上機６は、駆動綱車８の回転軸の方向が鉛直方向になるように、水平に配置されている。また、巻上機６は、駆動綱車８が巻上機本体７の上方になるように配置されている。これにより、駆動綱車８は、昇降路２０内の天井面に対向している。【００１５】
第１の先導条体４の一端部には、乗場３１に置かれた第１の主索２１をユニット搭載機器３に導くために、第１の主索２１の端部が接続部２２を介して接続される。第１の先導条体４は、第１の主索２１をユニット搭載機器３に導く方向へ引かれて移動される。即ち、第１の先導条体４は、その他端部が引かれて移動され、ユニット搭載機器３に導くように第１の主索２１を牽引する。第１の主索２１は、第１の先導条体４とともに移動され、第１の釣合おもり側返し車１１、駆動綱車８及び第１のかご側返し車９の順に連続的に巻き掛けられる。【００１６】
第２の主索をユニット搭載機器３に導くためには、第２の主索の端部が第２の先導条体５の一端部に接続部を介して接続される。第２の先導条体５は、第２の主索をユニット搭載機器３に導く方向へ引かれて移動され、第２の主索が第２の釣合おもり側返し車１２、駆動綱車８、転向綱車１３及び第２のかご側返し車１０の順に連続的に巻き掛けられる。【００１７】
図３は、図２の接続部２２を示す拡大図である。図において、第１の先導条体４は、曲げ可能な芯線（例えばワイヤ等）２３と、芯線２３を覆う被覆材（例えばゴム等）２４とを有している。第１の先導条体４の一端部では、芯線２３が被覆材２４から露出されている。芯線２３の露出した部分は、環状となるように曲げられ、かしめ部材２５によってかしめられて先導条体側環状部２６とされている。【００１８】
第１の主索２１は、複数本のストランド２７を撚り合わせて作製されている。第１の主索２１の端部では、各ストランド２７がほぐされ、各ストランド２７のうち、第１の主索２１の中心部分のストランド２７が先導条体側環状部２６に通されている。ストランド２７の先導条体側環状部２６に通された部分は、環状となるように曲げられ、かしめ部材２８によってかしめられて主索側環状部２９とされている。このようにして、第１の先導条体４と第１の主索２１とが接続されている。なお、接続部２２は、先導条体側環状部２６及び主索側環状部２９を有している。【００１９】
第２の主索をユニット搭載機器３に導くときにも、上記と同様の接続部を構成することにより、第２の先導条体５と第２の主索とが接続される。【００２０】
次に、エレベータを据え付けるときの手順について説明する。工場内では、エレベータ設置用巻上機ユニット１があらかじめ組み立てられている。エレベータ設置用巻上機ユニット１の組み立ては、巻上機６、第１のかご側返し車９、第１の釣合おもり側返し車１０、第２のかご側返し車１１、第２の釣合おもり側返し車１２及び転向綱車１３を取付枠２の所定の位置にそれぞれ取り付けた後、複数本の第１の先導条体４を第１の釣合おもり側返し車１１、駆動綱車８及び第１のかご側返し車９に連続的に巻き掛け、複数本の第２の先導条体５を第２の釣合おもり側返し車１２、駆動綱車８、転向綱車１３及び第２のかご側返し車１０に連続的に巻き掛けることにより行われる（ユニット組立工程）。【００２１】
この後、エレベータ設置用巻上機ユニット１をエレベータの据付場所まで運搬し、昇降路２０内の上部に設置する。このとき、駆動綱車８が昇降路２０内の天井面に対向するように、取付枠２を昇降路２０内に固定する（ユニット設置工程）。【００２２】
この後、最上階の乗場３１にそれぞれ複数本の第１の主索２１及び第２の主索を準備して、各第１の主索２１の端部を各第１の先導条体４の一端部にそれぞれ接続し、各第２の主索の端部を各第２の先導条体５の一端部にそれぞれ接続する。このとき、第１の先導条体４と第１の主索２１との接続部２２は、第１の先導条体４の一端部にあらかじめ設けられた先導条体側環状部２６に第１の主索２１の端部のストランド２７を通して主索側環状部２９を形成することにより、形成される。また、第２の先導条体５及び第２の主索との間にも、同様の接続部が形成される（接続工程）。【００２３】
この後、巻上機本体７の駆動により駆動綱車８を低速で回転させながら、各第１の先導条体４及び各第２の先導条体５のそれぞれの他端部側を同時に引く。これにより、各第１の先導条体４及び各第２の先導条体５が移動され、各第１の主索２１及び各第２の主索が第１の先導条体４及び第２の先導条体５のそれぞれに牽引されて移動される。この後、各第１の先導条体４及び各第２の先導条体５をユニット搭載機器３から引き出し、各第１の先導条体４を各第１の主索２１に置換させ、各第２の先導条体５を各第２の主索に置換させる。これにより、各第１の主索２１が第１の釣合おもり側返し車１１、駆動綱車８及び第１のかご側返し車９の順に連続的に巻き掛けられ、各第２の主索が第２の釣合おもり側返し車１２、駆動綱車８、転向綱車１３及び第２のかご側返し車１０の順に連続的に巻き掛けられる。このようにして、各第１の主索２１及び各第２の主索をユニット搭載機器３に取り付ける（主索巻き掛け工程）。【００２４】
なお、この例の主索巻き掛け工程では、各第１の主索２１及び各第２の主索のそれぞれの巻き掛け作業を同時に行うようにしているが、各第１の主索２１及び各第２の主索のいずれか一方の主索を巻き掛けた後に、残りの他方の主索を巻き掛けるようにしてもよい。【００２５】
この後、各第１の主索２１及び各第２の主索のそれぞれの両端部を下方へ降ろし、昇降路２０内のかご及び釣合おもりを各第１の主索２１及び各第２の主索によって吊り下げる。【００２６】
このようなエレベータの主索巻き掛け方法では、取付枠２に設けられた巻上機６の駆動綱車８に第１及び第２の先導条体４，５をあらかじめ巻き掛けておき、エレベータ設置用巻上機ユニット１を昇降路１内に設置した後に、第１及び第２の主索を第１及び第２の先導条体４，５にそれぞれ接続し、第１及び第２の先導条体４，５を引いて移動させることにより、第１及び第２の主索を駆動綱車８に巻き掛けるようになっているので、第１及び第２の先導条体４，５の駆動綱車８への巻き掛け作業を昇降路２０外で行うことができる。従って、第１及び第２の先導条体４，５を駆動綱車８に巻き掛けるときに昇降路２０の内壁面や昇降路２０内の機器等が邪魔になることはなく、第１及び第２の先導条体４，５の巻き掛け作業を容易に行うことができる。【００２７】
また、エレベータ設置用巻上機ユニット１が昇降路２０内に設置された後にも、第１及び第２の先導条体４，５によって第１及び第２の主索が駆動綱車８の外周部に導かれるので、駆動綱車８の外周部に対向する主索外れ止め１４を駆動綱車８から取り外さずに、第１及び第２の主索を駆動綱車８に容易に巻き掛けることができる。これにより、駆動綱車８の外周部と主索外れ止め１４との間の隙間の寸法を再度調整する必要がなくなり、第１及び第２の主索の巻き掛け作業をさらに容易にすることができる。【００２８】
また、取付枠２には、巻上機６とは別に、第１のかご側返し車９、第１の釣合おもり側返し車１０、第２のかご側返し車１１、第２の釣合おもり側返し車１２及び転向綱車１３が設けられ、第１及び第２の先導条体４，５が各綱車８〜１３に選択的にかつ連続して巻き掛けられているので、複数の綱車が取付枠２に設けられている場合であっても、第１及び第２の主索を各綱車に連続的に巻き掛ける作業を容易に行うことができる。【００２９】
なお、上記の例では、第１及び第２の先導条体４，５が芯線２３に被覆材２４を被覆したものとされているが、第１及び第２の主索の曲げ剛性よりも低い曲げ剛性であれば、上記の構成に限定されない。例えば、図４に示すように、第１及び第２の先導条体が複数本のストランド３２を撚り合わせて作製されたものであってもよい。【００３０】
この場合、第１の先導条体４と第１の主索２１との接続は、第１の先導条体４及び第１の主索２１のそれぞれのストランド２７，３２が撚り合わされることにより行われる。即ち、第１の主索２１の端部では、複数本のストランド２７のうちの２本のストランド２７が取り外され、ストランド溝３３が形成される。第１の先導条体４の一端部では、複数本のストランド３２のうち、２本のストランド３２のみを残し、他のストランド３２が切り取られる。残った２本のストランド３２は、第１の主索２１の端部に形成されたストランド溝３３に沿って嵌められる。これにより、ストランド３２がストランド２７に撚り合わされ、第１の先導条体４と第１の主索２１とが互いに接続される（図４）。なお、第２の先導条体５と第２の主索との接続も同様に行われる。【００３１】
また、上記の例では、第１の先導条体４の一端部に設けられた先導条体側環状部２６に、第１の主索２１の端部のストランド２７を通し、通したストランド２７を環状に曲げて主索側環状部２９を形成することにより、第１の先導条体４と第１の主索２１とを接続するようになっているが、図５に示すように、第１の先導条体４と第１の主索２１とを自在継ぎ手３４を介して接続するようにしてもよい。【００３２】
この場合、自在継ぎ手３４は、基軸３５と、基軸３５に設けられ、基軸３５の軸線方向を中心に回転自在な一対のリング部材３６，３７とを有している。また、芯線２３がリング部材３６に通されるとともに、ストランド２７がリング部材３７に通され、通されたそれぞれの部分が環状となるように針金等により縛られる。このようにすれば、第１の主索２１が第２の先導条体４に対して回転されるので、第１の主索２１を複数の綱車に連続的に巻き掛ける場合であっても、第１の主索２１が第１の先導条体４に対してねじれることを防止することができ、第１の先導条体４と第１の主索２１との接続部のねじれによる破断を防止することができる。【００３３】
実施の形態２．
図６は、この発明の実施の形態２によるエレベータ設置用巻上機ユニットを示す一部側面図である。図において、取付枠２には、第１及び第２の先導条体４，５のそれぞれの両端部を取付枠２に対して保持する複数の保持装置４１が設けられている。この例では、各保持装置４１は、取付枠２の外形寸法内（取付枠２内）に配置されている。また、第１及び第２の先導条体４，５のそれぞれの両端部も、各保持装置４１の保持により、取付枠２の外形寸法内（取付枠２内）に配置されている。なお、保持装置４１としては、例えば第１及び第２の先導条体４，５のそれぞれの両端部を取付枠２に貼り付ける粘着テープや、第１及び第２の先導条体４，５のそれぞれの両端部を取付枠２に押さえて保持する押さえ板等が挙げられる。【００３４】
第１及び第２の先導条体４，５には、第１及び第２の先導条体４，５のそれぞれの両端部の各保持装置４１による保持により、所定の張力が与えられている。第１及び第２の先導条体４，５は、エレベータ設置用巻上機ユニット１が床面４２上に仮置きされているときであっても、床面４２から離れたままエレベータ設置用巻上機ユニット１に保持される。他の構成は実施の形態１と同様である。【００３５】
このようなエレベータ設置用巻上機ユニット１では、第１及び第２の先導条体４，５のそれぞれの両端部を取付枠２に対して保持する保持装置４１が取付枠２に設けられているので、第１及び第２の先導条体４，５に所定の張力を与えることができる。これにより、第１及び第２の先導条体４，５が緩んで各綱車から外れることを防止することができる。従って、エレベータ設置用巻上機ユニット１の運搬及び昇降路２０内への設置をより確実にすることができる。【００３６】
また、第１及び第２の先導条体４，５のそれぞれの両端部が保持装置４１の保持により取付枠２の外形寸法内に配置されるようになっているので、エレベータ設置用巻上機ユニット１を床面４２上に仮置きした場合、第１及び第２の先導条体４，５が取付枠２と床面４２との間に噛み込んで、第１及び第２の先導条体４，５に圧痕がつくことを防止することができる。従って、第１及び第２の先導条体４，５の引っ張り強度が低下することを防止することができ、第１及び第２の先導条体４，５の破断の防止を図ることができる。【００３７】
実施の形態３．
図７は、この発明の実施の形態３によるエレベータ設置用巻上機ユニット１が昇降路２０内の上部に設置されている状態を示す一部側面図である。図において、取付枠２には、第１の釣合おもり側返し車１１の外周部に沿って移動されるように第１の先導条体４及び第１の主索２１を案内するガイド装置５１と、第１のかご側返し車９の外周部に沿って移動されるように第１の先導条体４及び第１の主索２１を案内するガイド装置５２とが設けられている。【００３８】
ガイド装置５１は、第１の釣合おもり側返し車１１の下方に配置されている。また、ガイド装置５２は、第１のかご側返し車９の下方に配置されている。即ち、ガイド装置５１は、第１の主索２１がユニット搭載機器３に導入される側に配置され、ガイド装置５２は、第１の主索２１がユニット搭載機器３から導出される側に配置されている。また、ガイド装置５１，５２は、取付枠に対して着脱可能な取付部材５３，５４を介して取付枠２に取り付けられている。【００３９】
最上階の乗場３１には、乗場３１から上方へ引かれてユニット搭載機器３に導入される第１の主索２１あるいは第２の主索を押さえるための主索押さえ装置５５と、ユニット搭載機器３から導出されて下方へ引かれる第１の先導条体４あるいは第２の先導条体５の方向を上方へ変える転向装置５６とが設けられている。【００４０】
主索押さえ装置５５は、第１の主索２１あるいは第２の主索の移動に伴って回転されるガイドローラ５７を有している。また、転向装置５６は、第１の先導条体４あるいは第２の先導条体５の移動に伴って回転されるガイドローラ５８を有している。【００４１】
また、最上階の乗場３１には、第１の主索２１及び第２の主索をそれぞれ載せるための複数の回転テーブル５９が設けられている。第１の主索２１及び第２の主索がユニット搭載機器３に導入されるときには、各回転テーブル５９が回転されながら第１の主索２１及び第２の主索が繰り出される。【００４２】
取付枠２には、第２のかご側返し車１０及び第２の釣合おもり側返し車１２のそれぞれの外周部に沿って移動されるように第２の主索及び第２の先導条体５を案内するガイド装置（図示せず）も設けられている。【００４３】
即ち、各第１の主索２１及び各第２の主索をユニット搭載機器３に取り付ける際には、第１の主索２１及び第２の主索が各回転テーブル５９に載せられる。各第１の主索２１は、主索押さえ装置５５及びガイド装置５１の順に通され、第１の先導条体４に接続される。各第２の主索は、主索抑え装置５５及び図示しないガイド装置の順に通され、第２の先導条体５に接続される。また、ユニット搭載機器３から導出された第１の先導条体４は、ガイド装置５２及び転向装置５６の順に通され、他端部側で引き上げられる。ユニット搭載機器３から導出された第２の先導条体４は、図示しないガイド装置及び転向装置５６の順に通され、他端部側で引き上げられる。【００４４】
図８は、図７のガイド装置５１を示す平面図である。ガイド装置５１は、第１の主索２１が通される環状体６０と、取付部材５３に固定され、環状体６０を支持する支持部６１と、環状体６０に回転自在に設けられた複数のローラ６２とを有している。各ローラ６２は、環状体６０の周方向へ並べられている。ガイド装置５２も同様な構成となっている。また、他の構成は実施の形態１と同様である。【００４５】
次に、エレベータを据え付けるときの手順について説明する。エレベータ設置用巻上機ユニット１は、ガイド装置５１，５２を取付枠２に取り付けた後に、昇降路２０内の上部に設置される。【００４６】
エレベータ設置用巻上機ユニット１を昇降路２０内に設置した後、各第１の主索２１を主索押さえ装置５５及びガイド装置５１の順に通し、各第１の主索２１の端部を各第１の先導条体４の一端部に接続する。また、各第２の主索を主索押さえ装置５５及び図示しないガイド装置の順に通し、各第２の主索の端部を各第２の先導条体５の一端部に接続する。このとき、第１の先導条体４の他端部をガイド装置５２及び転向装置５６の順に通し、第２の先導条体５の他端部を図示しないガイド装置及び転向装置５６の順に通しておく。【００４７】
この後、駆動綱車８を巻上機本体７の駆動により低速で回転させながら、各第１の先導条体４及び各第２の先導条体５のそれぞれの他端部を同時に引き上げる。これにより、各第１の先導条体４及び各第２の先導条体５が第１の主索２１及び第２の主索とともにそれぞれ移動される。このとき、第１の主索２１の移動により回転テーブル５９が回転され、第１の主索２１が回転テーブル５９上から繰り出される。また、第２の主索の移動により回転テーブル５９が回転され、第２の主索が回転テーブル５９上から繰り出される。【００４８】
これにより、各第１の主索２１は、第１の先導条体４から置換され、第１の釣合おもり側返し車１２、駆動綱車８及び第１のかご側返し車９の順に連続的に巻き掛けられる。また、各第２の主索は、第２の先導条体５から置換され、第２の釣合おもり側返し車１２、駆動綱車８及び第２のかご側返し車１０の順に連続的に巻き掛けられる。【００４９】
この後、ガイド装置５１，５２を取付部材５３，５４とともに取付枠２から取り外し、第１の先導条体４と第１の主索２１との接続を外す。また、図示しないガイド装置も取付枠２から取り外し、第２の先導条体５と第２の主索との接続も外す。この後の手順は、実施の形態１と同様である。【００５０】
なお、この例では、各第１の主索２１及び各第２の主索のそれぞれの巻き掛け作業を同時に行うようにしているが、各第１の主索２１及び各第２の主索のそれぞれの巻き掛け作業を別個に行うようにしてもよい。【００５１】
このようなエレベータ設置用巻上機ユニット１では、第１のかご側返し車９及び第１の釣合おもり側返し車１１の外周部に沿ってそれぞれ移動されるように第１の先導条体４及び第１の主索２１のいずれかを案内するガイド装置５１，５２が取付枠２に設けられているので、第１の先導条体４及び第１の主索２１が第１のかご側返し車９及び第１の釣合おもり側返し車１１に対して傾斜することを防止することができる。これにより、主索外れ止め１５と第１のかご側返し車９との間や、主索外れ止め１７と第１の釣合おもり側返し車１１との間に、第１の先導条体４や第１の主索２１が噛み込むことを防止することができ、第１の先導条体４や第１の主索２１の破断等の不具合を防止することができる。【００５２】
また、第２のかご側返し車１０及び第２の釣合おもり側返し車１２の外周部に沿ってそれぞれ移動されるように第２の先導条体５及び第２の主索のいずれかを案内するガイド装置が取付枠２に設けられているので、上記と同様に、主索外れ止め１６と第２のかご側返し車１０との間や、主索外れ止め１８と第２の釣合おもり側返し車１２との間に、第２の先導条体５や第２の主索が噛み込むことを防止することができ、第２の先導条体５や第２の主索の破断等の不具合を防止することができる。【００５３】
また、第１の主索２１及び第２の主索のいずれかがユニット搭載機器３に導入される際（主索巻き掛け工程）において、最上階の乗場３１に設けられた回転テーブル５９に、ユニット搭載機器３に導入しようとする主索が載せられ、回転テーブル５９が回転されながら、主索が繰り出されるようになっているので、主索がもつれることを防止することができ、作業効率を向上させることができる。【００５４】
また、ユニット搭載機器３から導出された第１あるいは第２の先導条体４，５の方向を変える転向装置５６が最上階の乗場３１に設けられているので、作業者が乗場３１で引きやすい方向へ第１あるいは第２の先導条体４，５の方向を変えることができ、作業効率をさらに向上させることができる。
【図１】
0004810430.tif 000002
【図２】
0004810430.tif 000003
【図３】
0004810430.tif 000004
【図４】
0004810430.tif 000005
【図５】
0004810430.tif 000006
【図６】
0004810430.tif 000007
【図７】
0004810430.tif 000008
【図８】
0004810430.tif 000009